【手続補正書】
【提出日】平成25年1月30日(2013.1.30)
【手続補正１】
【補正対象書類名】特許請求の範囲
【補正対象項目名】全文
【補正方法】変更
【補正の内容】
【特許請求の範囲】
【請求項１】
中空で、かつ、バラストのために流動性材料で充填されるのに適した障壁部分であって、
前記障壁部分は、内部容積を定義する外壁と、第１端部および第２端部を有する成形プラスチック容器を備え、
前記障壁部分は、複数の接続突起を備え、前記複数の接続突起は、おのおの第１及び第２端部の上に配され、これによって複数の障壁部分が互いに繋ぎ合わされ、
前記障壁部分は、前記成形プラスチック容器内部に成形された所要長さの金属ケーブルを備え、これによって前記所要長さの金属ケーブルのほとんどが、前記第１端部と第２端部の間で容器の実質的に全長に沿って、前記内部容積内に完全に配され、及び
前記障壁部分は、前記接障壁部分の前記第１端部上の前記接続突起の１つに成形された金属ブッシング挿入物を備え、これにより経路を形成し、前記経路を介してピンが延設可能であり、これにより、前記突起と他の突起とを固着し、前記金属ケーブルの端が前記金属ブッシングに取り付けられ、前記金属ブッシングはその個々の端部で拡大したステップを含むことを特徴とする障壁部分。
【請求項２】
前記金属ケーブルはワイヤーロープケーブルを含むことを特徴とする請求項１記載の障壁部分。
【請求項３】
前記ワイヤーロープケーブルは複数のストランドを含むことを特徴とする請求項２記載の障壁部分。
【請求項４】
前記金属ケーブルは亜鉛メッキされた鋼材を含むことを特徴とする請求項１記載の障壁部分。
【請求項５】
前記所要長さの金属ケーブルの第２端部は、前記障壁部分の前記第２端部に配された、接続突起に成形された第２の金属ブッシング挿入物に接続されることを特徴とする請求項１記載の障壁部分。
【請求項６】
追加長さの金属ケーブルをさらに備え、前記容器の第１端部と第２端部上の対向する各々一対の突起の間で接続される所要長さの金属ケーブルが存在することを特徴とする請求項１記載の障壁部分。
【請求項７】
ケーブルの前記端部は前記金属ブッシングの周囲の周りで包まれ、前記ケーブルに接続され、これによって前記ケーブルと金属ブッシングとを固定するケーブルのループを形成することを特徴とする請求項１記載の障壁部分。
【請求項８】
前記ブッシングの適所にケーブルの前記ループを固定するために、ケーブルの前記端部はケーブルの残部に留められることを特徴とする請求項７記載の障壁部分。
【請求項９】
前記ブッシングと前記ブッシングに取り付けられるケーブルの一部は、成形プラスチックで包まれることによって、一体的に成形された、漏れ防止の接続を形成することを特徴とする請求項１記載の障壁部分。
【請求項１０】
前記ブッシングを包む成形プラスチックは、ブッシングの残存部分の周りより各々の前記拡大したステップの周りで厚いことを特徴とする請求項９記載の障壁部分。
【請求項１１】
前記外壁は、前記外壁上に配された複数の鋸歯を有し、該複数の鋸歯は車両が下向きに障壁部分に衝突するのをそらすように垂直に離間された関係で配され、及び内側にかつ上方向に伸張することを特徴とする請求項１記載の障壁部分。
【請求項１２】
前記障壁部分が、さらに前記障壁部分の上部表面上で離間された関係で配される複数の積み重なる突起を備え、及び
前記障壁部分が、さらに前記障壁部分の底部表面上で離間された関係で配される複数の積み重なる対応する凹部をさらに備え、前記障壁部分のうちの２つが垂直に積み重ねられたとき、前記底部障壁部分上の積み重なる突起は前記上部障壁部分上の対応する積み重なる凹部と係合することを特徴とする請求項１記載の障壁部分。
【請求項１３】
前記金属ブッシングがスチールから形成されることを特徴とする請求項１記載の障壁部分。
【請求項１４】
前記金属ブッシングが溶融亜鉛メッキから形成されることを特徴とする請求項１３に記載の障壁部分。
【請求項１５】
前記金属ケーブルがスチールから形成されることを特徴とする請求項１記載の障壁部分。
【請求項１６】
前記金属ケーブルが溶融亜鉛メッキから形成されることを特徴とする請求項１５に記載の障壁部分。
【請求項１７】
中空で、かつ、バラストのために流動性材料で充填されるのに適した障壁部分であって、
前記障壁部分は、内部容積を定義する外壁と、第１端部および第２端部を有する成形プラスチック容器を備え、
前記障壁部分は、複数の接続突起を備え、前記複数の接続突起は、おのおの第１及び第２端部の上に配され、これによって複数の障壁部分が互いに繋ぎ合わされ、
前記障壁部分は、前記成形プラスチック容器内部に成形された所要長さの金属ケーブルを備え、これによって前記所要長さの金属ケーブルのほとんどが、前記第１端部と第２端部の間で容器の実質的に全長に沿って、前記内部容積内に完全に配され、及び
前記障壁部分は、前記接障壁部分の前記第１端部上の前記接続突起の１つに成形された金属ブッシング挿入物を備え、これにより経路を形成し、前記経路を介してピンが延設可能であり、これにより、前記突起と他の突起とを固着し、前記金属ケーブルの端が前記金属ブッシングに取り付けられ、前記金属ブッシングはその個々の端部で拡大したステップを含み、成形プラスチックに封入されることで、一体的に成形された、漏れ防止の接続を形成する、ことを特徴とする障壁部分。
【請求項１８】
前記金属ケーブルはワイヤーロープケーブルを含むことを特徴とする請求項１７記載の障壁部分。
【請求項１９】
前記ワイヤーロープケーブルは複数のストランドを含むことを特徴とする請求項１８記載の障壁部分。
【請求項２０】
前記金属ケーブルは亜鉛メッキされた鋼材を含むことを特徴とする請求項１７記載の障壁部分。
【請求項２１】
前記所要長さの金属ケーブルの第２端部は、前記障壁部分の前記第２端部に配された、接続突起に成形された第２の金属ブッシング挿入物に接続されることを特徴とする請求項１７記載の障壁部分。
【請求項２２】
追加長さの金属ケーブルをさらに備え、前記容器の第１端部と第２端部上の対向する各々一対の突起の間で接続される所要長さの金属ケーブルが存在することを特徴とする請求項１７記載の障壁部分。
【請求項２３】
ケーブルの前記端部は前記金属ブッシングの周囲の周りで包まれ、前記ケーブルに接続され、これによって前記ケーブルと金属ブッシングとを固定するケーブルのループを形成することを特徴とする請求項１７記載の障壁部分。
【請求項２４】
前記金属ブッシングの適所にケーブルの前記ループを固定するために、ケーブルの前記端部はケーブルの残部に留められることを特徴とする請求項２３記載の障壁部分。
【請求項２５】
前記ブッシングを封入する成形プラスチックは、金属ブッシングの残存部分の周りより各々の前記拡大したステップの周りで厚いことを特徴とする請求項１７記載の障壁部分。
【請求項２６】
前記外壁は、前記外壁上に配された複数の鋸歯を有し、該複数の鋸歯は車両が下向きに障壁部分に衝突するのをそらすように垂直に離間された関係で配され、及び内側にかつ上方向に伸張することを特徴とする請求項１７記載の障壁部分。
【請求項２７】
前記外壁は、前記外壁上に配された複数の鋸歯を有し、該複数の鋸歯は垂直に離間された関係で配され、前記複数の接続突起はそれぞれ丸みを付けた端部を備え、前記第１端部と第２端部の各々の全幅にほとんどわたって延出することで、各々の接続突起の丸みを付けた端部は外壁側部と一体化し、前記複数の鋸歯は各々、前記障壁部分の全長よりも短いため、各々の接続突起の一体化した丸みを付けた端部を収容するためのスペースが各々の外壁側部の各端部にあることを特徴とする請求項１７に記載の障壁部分。
【請求項２８】
前記所要長さの金属ケーブルは、車両が前記障壁部分と衝突する前に緩くなることを特徴とする請求項１７に記載の障壁部分。
【請求項２９】
前記障壁部分が、さらに前記障壁部分の上部表面上で離間された関係で配される複数の積み重なる突起を備え、及び
前記障壁部分が、さらに前記障壁部分の底部表面上で離間された関係で配される複数の積み重なる対応する凹部をさらに備え、前記障壁部分のうちの２つが垂直に積み重ねられたとき、前記底部障壁部分上の積み重なる突起は前記上部障壁部分上の対応する積み重なる凹部と係合することを特徴とする請求項１７記載の障壁部分。